(57)【要約】      （修正有）【課題】易開封性容器を提供することである。【解決手段】開口部１１を有する本体部１０と、開口部１１のための閉蓋２０と、を備え、開口部１１は少なくとも１つのねじ山部１３とシーリング端部とを含むネック部１２を備え、閉蓋２０は上部２１と周縁のスカート部２２とを備え、スカート部２２は自由端部２３を含み、自由端部２３は複数の内側に延びるラグ部２４を含み、ラグ部２４は閉蓋２０が開口部１１上で閉じられると、ねじ山部１３に係合されるように構成されている。容器１００は、ねじ山部１３とラグ部２４との間に、少なくとも１つの易開封性要素、好ましくはストリップ３０をさらに含み、易開封性要素は、開封をより容易にするために、閉蓋２０を開封する前に取り外されるように構成されている。【選択図】図１
2019137465.tif 000002
【特許請求の範囲】
【請求項１】
開口部（１１）を有する本体部（１０）と、開口部（１１）を閉じるための閉蓋（２０）とを備え、
前記開口部（１１）は、少なくとも１つのねじ山部（１３）とシーリング端部（１４）とを備えるネック部（１２）を備え、
前記閉蓋（２０）は上部（２１）と周縁のスカート部（２２）とを含み、
前記スカート部（２２）は自由端部（２３）を含み、
前記自由端部（２３）は複数の内側に延びるラグ部（２４）を含み、
前記ラグ部（２４）は、前記閉蓋（２０）が前記開口部（１１）上で閉じられると、前記ネック部（１２）のねじ山部（１３）と係合されるように構成され、
前記本体部（１０）は、前記ネック部（１２）の少なくとも１つのねじ山部（１３）と、前記ねじ山部（１３）に係合された前記閉蓋（２０）の少なくとも１つの前記ラグ部（２４）と、の間に収容された、少なくとも１つの易開封性要素を備えることを特徴とし、
前記易開封性要素は、閉蓋（２０）のその後の開封をより容易にするために、閉蓋（２０）を開封する前に取り外されるように構成されることを特徴とした、容器。
【請求項２】
前記易開封性要素は、前記ネック部（１２）の少なくとも１つのねじ山部（１３）と、前記ねじ山部（１３）に係合された前記閉蓋（２０）の少なくとも１つのラグ部（１４）と、の間の適所にしっかりと配置され、前記ねじ山部（１３）を少なくとも部分的に覆う、ストリップ（３０）である、請求項１に記載の容器。
【請求項３】
前記ストリップ（３０）は、前記シーリング端部（１４）の下方に配置されている、請求項２に記載の容器。
【請求項４】
取り外し可能な前記ストリップ（３０）は、本体部（１０）のネック部（１２）を取り囲むように配置されている、請求項２または請求項３に記載の容器。
【請求項５】
前記ストリップ（３０）は、前記本体部（１０）の下方に向かって突出するタブ状の突出部（３１）を含む、請求項４に記載の容器。
【請求項６】
前記ストリップ（３０）は、前記ストリップ（３０）に沿って部分的または完全に横方向に延びる弱化線（３２）を含む、請求項４または請求項５に記載の容器。
【請求項７】
取り外し可能な前記ストリップ（３０）は、垂直または斜めに配置され、タブ状の突出部（３１）を含む、請求項２または請求項３に記載の容器。
【請求項８】
前記ストリップ（３０）は、第１端部（１７）と第２端部（１８）を含み、
両端部（１７、１８）は前記ネック部（１２）の前記ねじ山部（１３）と前記ラグ部（２４）との間に収容され、
ストリップ（３０）は取手状の折り目（１９）を含む、請求項２または請求項３に記載の容器。
【請求項９】
前記易開封性要素は、ポリマー、紙、厚紙、金属フィルム、布地、またはこれらの材料の組み合わせから選択される材料によって製作され、
前記易開封性要素は、好ましくは接着剤を塗布することによって、前記ネック部（１２）の少なくとも１つのねじ山部（１３）と、前記ねじ山部（１３）に係合された前記閉蓋（２０）の少なくとも１つのラグ部（１４）と、の間に固定される、請求項１〜請求項８のいずれか１項に記載の容器。
【請求項１０】
前記易開封性要素は、温度を加えることによって本体部（１０）のネック部（１２）に収縮包装される収縮包装フィルムである、請求項１〜請求項８のいずれか１項に記載の容器。
【請求項１１】
前記易開封性要素と前記ねじ山部（１３）との間、および／または前記易開封性要素と前記ラグ部（２４）との間に、少なくとも１つの中間要素（１６）を含む、請求項１〜請求項１０のいずれか１項に記載の容器。
【請求項１２】
前記易開封性要素および少なくとも１つの前記中間要素（１６）は、多層からなるアセンブリを形成し、
少なくとも１つの前記中間要素（１６）は、前記易開封性要素が取り外されると、好ましくは前記ねじ山部（１３）と前記ラグ部（１４）との間に収容される、請求項１１に記載の容器。
【請求項１３】
前記易開封性要素および少なくとも１つの前記中間要素（１６）は、少なくとも１つの折り目を有する単一部品を形成する、請求項１１に記載の容器。
【請求項１４】
複数のねじ山部（１３１〜１３ｎ）と複数のラグ部（２４）とを備える、請求項１〜請求項１３のいずれか１項に記載の容器。
【請求項１５】
前記易開封性要素は前記閉蓋（２０）を開封する前に取り外されることを特徴とする、請求項１〜請求項１４のいずれか１項に記載の容器である易開封性容器を開封するための方法。
【発明の詳細な説明】
【技術分野】
【０００１】
本発明は、蓋の開封を容易にするための手段を備える容器に関する。
【背景技術】
【０００２】
少なくとも１つのねじ山部を有するネック部を備える開口部を含む本体部と、開口部のねじ込み型密封を可能とする蓋と、を備える容器が知られている。ねじ山部は複数のねじ山部を含み、閉蓋は、複数の内側に延びるラグ部を含んだ自由端部を有する周縁のスカート部を含み、ラグ部は閉蓋が本体部の開口部上で閉じられると、容器の本体部のネック部のねじ山部と係合される、ねじ切り型密封による容器も知られている。
【０００３】
英国特許第２４４１３２７号は、閉蓋の周縁のスカート部に配置された刻み目によって蓋の開封がより容易である、易開封性ねじ切り型密封による容器を記載している。
【発明の概要】
【発明が解決しようとする課題】
【０００４】
本発明の目的は、特許請求の範囲に定義されているように、易開封性容器を提供することである。
【課題を解決するための手段】
【０００５】
本発明の易開封性容器は、開口部を有する本体部と、開口部を閉じるための閉蓋とを備え、開口部は、少なくとも１つのねじ山部とシーリング端部とを備えるネック部を含む。閉蓋は上部と周縁のスカート部とを含み、スカート部は自由端部を含み、自由端部は少なくとも１つの内側に延びるラグ部を含む。ラグ部は、閉蓋が本体部の開口部上で閉じられると、ネック部のねじ山部と係合されるように構成されている。
【０００６】
本発明の容器は、ネック部の少なくとも１つのねじ山部と、ねじ山部に係合された閉蓋の少なくとも１つのラグ部と、の間に収容された、少なくとも１つの易開封性要素をさらに含む。易開封性要素は、閉蓋のその後の開封をより容易にするために、閉蓋を開封する前に取り外されるように構成される。
【０００７】
本発明の容器によれば、閉蓋を開封するために必要な開封力が小さいので、この種類の容器おけるより容易な開封が達成される。容器のネック部のねじ山部と閉蓋のラグ部との間から易開封性要素を取り外すことによって、ラグ部と容器のネック部のシーリング端部との間に存在する距離が減少し、それによって閉蓋とネック部との間に存在する摩擦力が減少する。その結果、加えられるべき開封力は低くなる。これは、特に高齢者にとって、そして特に大きな直径を有する容器にとって、容器をより容易に開封することにつながる。
【０００８】
本発明のこれらおよび他の利点および特徴は、図面および本発明の詳細な説明を考慮すると明らかになるであろう。
【図面の簡単な説明】
【０００９】
【図１】易開封性要素を示すための蓋の部分断面図を含む、本発明の容器の第１実施形態を示す正面図である。
【図２】図１の容器における本体部の正面図である。
【図３】図１の容器における蓋の底面斜視図である。
【図４】図３の蓋の正面部分断面図である。
【図５】容器の開口部に作用する力を示し、図１の容器を密封した状態を示す部分断面斜視図である。
【図６】易開封性要素を有する図１の容器を密封した状態を示す正面部分断面図である。
【図７】易開封性要素が取り除かれている、図１の容器の蓋の正面部分断面図である。
【図８】本発明の容器の第２実施形態を示し、タブおよびミシン目のある領域を有する易開封性要素を示すための蓋の部分断面図である。
【図９】本発明の容器の第３実施形態を示し、タブを有する易開封性要素を示すための蓋の部分断面である。
【図１０】中間要素が加わった易開封性要素のその他の実施形態を示す斜視図である。
【図１１】取手状の折り目を有する易開封性要素のその他の実施形態を示す斜視図である。
【発明を実施するための形態】
【００１０】
様々な種類の密封性を持つ容器のための様々な易開封システムが存在する。本発明の文脈において、容器は何かを保存するまたは収容することを目的とした受容体として理解され、少なくとも１つの周縁のねじ山部を有するネック部を含む開口部を備える本体部と、開口部のねじ込み型密封を可能にする閉蓋と、を含む。この種類の容器の中には、ねじ山部が複数、好ましくは３〜８個のねじ山部を含み、閉蓋は上部と周縁のスカート部とを含み、自由端部は複数の内側に延びるラグ部を含む、ねじ切り型密封による容器が知られている。閉蓋が本体部の開口部で閉じられると、ラグ部は容器の本体部のネック部のねじ山部と係合される。
【００１１】
図１の本実施形態に示されるように、本発明の容器１００は、開口部１１を有する本体部１０と、開口部１１を閉じるための閉蓋２０と、を備え、開口部１１は少なくとも１つのねじ山部１３とシーリング端部１４とを備えるネック部１２を備え、閉蓋２０は上部２１と周縁のスカート部２２とを含み、スカート部２２は自由端部２３を含み、自由端部２３は複数の内側に延びるラグ部２４を含む。ラグ部２４は、閉蓋２０が容器１０の開口部１１上で閉じられると、ネック部１２のねじ山部１３と係合される。図１に示される容器１００は、本実施形態において、そして本体部１２の正面図を示す図２に示されるように、ねじ切り型密封であると考えると、ねじ山部１３は６つの傾斜したねじ山部１３１〜１３６を含み、ネック部１３はその上部にシーリング端部１４を含む。
【００１２】
本実施形態において、本体部１０はガラス製であり、他の実施形態として、本体部１０はプラスチック製または硬質材料製であってもよく、真空保存製品を含む。本実施形態では、本体部１０は円筒形状を有し、その上部でくびれを形成し、かつ開口部１１を画定するように曲線状に先細りする。
【００１３】
図３および図４に示されるように、閉蓋２０は椀形であり、上部２１は実質的に平面であり、周縁のスカート部２２は上部２１から下方に突出している。スカート部２２の自由端部２３は丸みを帯びた端部を終点とし、自由端部２３はスカート部２２の内側に延在する６つのねじ山部１３１〜１３６に対応して、その周縁に沿って６つのラグ部２４を備える。６つのラグ部２４は、閉蓋２０が本体部１０の開口部１１上で閉じられたときに対応する方法として、６つのねじ山部１３１〜１３６と係合されるように構成され、６つのラグ部２４はねじ山１３１〜１３６の下方に、かつ接触して配置される。
【００１４】
本発明の容器１００は、ネック部１２のねじ山部１３と閉蓋２０のラグ部２４との間に収容された、少なくとも１つの易開封性要素をさらに含む。易開封性要素は、閉蓋２０を開封する前にねじ山部１３とラグ部２４との間から取り外されるように構成され、その結果、シーリング端部１４と閉蓋２０のラグ部２４との間に存在する距離は減少する。これは閉蓋２０とネック部１２との間に存在する摩擦力が減少することを意味する。これにより、閉蓋２０のその後の開封がより容易になる。
【００１５】
図１に示される本実施形態において、易開封性要素は、ネック部１２のねじ山部１３と閉蓋２０のラグ部２４との間の適所にしっかりと配置され、ねじ山部１３を覆う、取り外し可能なストリップ３０である。
【００１６】
本実施形態において、取り外し可能なストリップ３０は、本体部１０のネック部１２を取り囲むように配置され、かつストリップ３０はリング形状である。具体的には、図１および図５〜図７に示すように、ストリップ３０は、ネック部１２のねじ山部１３の６つのねじ山１３１〜１３６を覆うようにネック部１２に付着して配置される。その結果、閉蓋２０の６つのラグ部２４が６つのねじ山部１３１〜１３６のそれぞれの下方に配置され、ラグ部２４もストリップ３０と接触している場合、閉蓋２０は本体部１０の開口部１１上で閉じられる。ネック部１２のシーリング端部１４とラグ部２４との間の距離をｄとすると、開口部１１上で閉蓋２０が閉じられた状態でストリップ３０が容器１００から取り外された場合に初期距離ｄは減少し、新たな距離ｄ’が形成され、たとえ容器１００の内側の真空シールを破壊しないとしても、閉蓋２０とネック部１２との間の摩擦力が減少するにつれて容器１００の閉蓋２０を開封するために必要とされる開封力Ｆａは減少する。
【００１７】
図１に示される容器１００において、容器１００内の部材は、大気圧より低い内圧が得られるように処理される。この保存技術は、図５に示される図１の容器１００を密封した状態を示す部分断面斜視図のように、内圧が容器１００の本体部１０のシーリング端部１４に閉蓋２０の押圧力を生じさせるという欠点を有する。シーリング端部１４におけるＦｒｂ上の閉蓋２０の接触とねじ山部１３におけるＦｒｒ上の閉蓋２０との接触とによる摩擦力とを加えた、真空Ｆｒｖによる摩擦力は、容器１００の閉蓋２０を開封するために開封力Ｆａによって打ち勝たなければならない摩擦力の合計を生成する。これは、Ｄをそれぞれの力が加えられる直径とする次の式によって表される。
【００１８】
【数１】
2019137465.tif 000003
【００１９】
閉蓋２０を開封する前にストリップ３０を取り外すことによって、ねじ山部１３におけるＦｒｒに対する閉蓋２０の摩擦力が減少し、したがって容器１００を開封するために使用者が用いらなければならない力が減少する。
【００２０】
図１に示されるように、本実施形態では、本体部１０は、ネック部１２を取り囲むように配置されたねじ山部１３の下方に位置する周縁部１５を含み、ストリップ３０は周縁部１５を覆っている。ストリップ３０は、シーリング端部１４の下方に配置され、本実施形態では周縁部１５の下方まで延びている。なお、本実施形態では、ストリップ３０は容器の複数のねじ山部１３１〜１３６を覆っているが、その他の実施形態として、ストリップ３０は１つまたはいくつかのねじ山部だけを覆ってもよく、および／またはねじ山部を部分的に覆ってもよい。
【００２１】
図１に示されるように、ストリップ３０は、ストリップ３０に沿って横方向に延び、そしてストリップ３０を２つに分割する部分にミシン目が設けられた弱化線３２を含む。これにより、使用者は、ストリップ３０を取り外すために引っ張るときに弱化線３２を境にしてストリップ３０を引き裂くことができる。弱化線３２は、ストリップ３０が引っ張られる方向に湾曲した線からなる。
【００２２】
図８は、本発明の容器１００の第２実施形態を示す。第２実施形態では、第１実施形態のために説明した特徴に加えて、本体部１０の下方に向かって突出するタブ状の突出部３１を含む。この突出部３１により、使用者はストリップ３０を取り外すために突出部３１を引っ張ることができる。突出部３１の一側には弱化線３２が配置されている。
【００２３】
図９に示されるように第３の実施形態では、取り外し可能なストリップ３０がネック部１２を取り囲む代わりに垂直に配置され、ストリップ３０は使用者が引っ張ることができるタブ状の突出部３１を備える。なお、ストリップ３０は、斜めに配置され得る。また、容器は互いに等距離に配置された複数のストリップ３０を備え得る。
【００２４】
本発明の容器１００の易開封性要素は、ポリマー、紙、厚紙、金属フィルム、布地またはこれらの材料の組み合わせによって製作され得る。この場合、易開封性要素は接着剤を塗布することによって適所に固定することができる。
【００２５】
好ましい実施形態として、易開封性要素は、温度を加えることによって本体部１０のネック部１２に収縮包装される収縮包装フィルムである。この実施形態は、前述の第１実施形態および第２実施形態のように、易開封性要素が本体部１０のネック部１２を取り囲むように配置されたストリップ３０である実施形態において特に有効である。
【００２６】
図１０は、易開封性要素の一実施形態を示す斜視図である。易開封性要素は、複数の中間要素１６とともに単一部品を形成するタブ状の突出部３１を有するストリップ３０であり、単一部品は複数の折り目を形成している。前述した部品が、ネック部１２の少なくとも１つのねじ山部１３と、閉蓋の少なくとも１つのラグ部２４との間に収容されるとき、２つの中間要素１６はストリップ３０とねじ山部１３との間に配置され、１つの中間要素１６はストリップ３０とラグ部２４との間に配置される。一度ストリップ３０が取り外されると、２つの中間要素１６はねじ山部１３とラグ部２４との間に残る。したがって、ストリップ３０を取り外して中間要素１６とともに単一部品を形成することによって、中間要素１６のいくつかが除去され、ストリップ３０の除去が漸進的になるので、使用者がストリップ３０を除去するために行う努力は少なくなる。
【００２７】
容器のさらに他の実施形態（図示せず）では、容器は、易開封性要素とともに多層からなるアセンブリを形成する複数の別々の中間要素を含む。少なくとも１つの中間要素は、易開封性要素とねじ山部との間、および／または易開封性要素とラグ部との間に配置され、一度易開封性要素が取り外されると、ねじ山部とラグ部との間に少なくとも１つの中間要素が残る。
【００２８】
図１１は、易開封性要素のその他の実施形態を示す斜視図である。この実施形態における易開封性要素は、第１端部１７と第２端部１８を含み、両端部１７、１８は、ネック部１２のねじ山部１３と閉蓋２０のラグ部２４との間に収容され、取手状の折り目１９が形成されている、ストリップ３０である。この構成によれば、たとえばストリップ３０を取り外すために折り目１９に指を挿入して引っ張ることによって、易開封性要素の取り外しがはるかに容易になる。
【図１】
2019137465.tif 000004
【図２】
2019137465.tif 000005
【図３】
2019137465.tif 000006
【図４】
2019137465.tif 000007
【図５】
2019137465.tif 000008
【図６】
2019137465.tif 000009
【図７】
2019137465.tif 000010
【図８】
2019137465.tif 000011
【図９】
2019137465.tif 000012
【図１０】
2019137465.tif 000013
【図１１】
2019137465.tif 000014